(57)【要約】【課題】装置を大型化したり複雑化することなく、基板を均一に対流加熱できるＸ線検査用加熱装置の具体的な構成を提供する。【解決手段】試料加熱室１０に収容された試料８の少なくとも一方の面を対流により加熱して、Ｘ線により検査するためのＸ線検査用加熱装置であって、通風孔１４Ａ、１５Ａ、１６Ａ又はスリット（１３Ｃ）が多数形成された、Ｘ線を透過可能な面状ヒーター１２と、該面状ヒーター１２の前記試料８と反対側の空間にガスを送り込むためのガス供給手段（送風ダクト２０、送風管２２）と、前記試料加熱室１０を外気と遮断するＸ線透過窓２４と、を備える。【選択図】図１
2014095640.tif 000002
【特許請求の範囲】
【請求項１】
試料加熱室に収容された試料の少なくとも一方の面を対流により加熱して、Ｘ線により検査するためのＸ線検査用加熱装置であって、
通風孔又はスリットが多数形成された、Ｘ線を透過可能な面状ヒーターと、
該面状ヒーターの前記試料と反対側の空間にガスを送り込むためのガス供給手段と、
前記試料加熱室を外気と遮断するＸ線透過窓と、
を備えたことを特徴とするＸ線検査用加熱装置。
【請求項２】
前記面状ヒーターが、薄い金属板と、該金属板を両側から挟んで補強するための、Ｘ線を透過する材料で形成された絶縁板とで形成され、前記金属板及び絶縁板の少なくとも一方に通風孔又はスリットが多数形成されていることを特徴とする請求項１に記載のＸ線検査用加熱装置。
【請求項３】
前記金属板が、前記絶縁板の少なくとも一方に埋め込まれていることを特徴とする請求項２に記載のＸ線検査用加熱装置。
【請求項４】
前記試料側の絶縁板の通風孔又はスリットが、該絶縁板の表面に対して斜め又は垂直に形成され、
前記試料と反対側の絶縁板の通風孔又はスリットが、該絶縁板の表面に対して垂直又は斜めに形成されていることを特徴とする請求項２又は３に記載のＸ線検査用加熱装置。
【請求項５】
前記金属板が、前記試料と反対側の絶縁板に埋め込まれていることを特徴とする請求項４に記載のＸ線検査用加熱装置。
【請求項６】
前記面状ヒーターが、Ｘ線を透過する材料で形成された絶縁板と、その上に密着形成された金属膜でなり、前記絶縁板及び金属膜の少なくとも一方に通風孔又はスリットが多数形成されていることを特徴とする請求項１に記載のＸ線検査用加熱装置。
【請求項７】
前記ガス供給手段が、前記試料加熱室の周囲に配設された送風ダクトと、該送風ダクトから前記試料加熱室の中央に向けてガスを送り込む送風管で構成されていることを特徴とする請求項１乃至６のいずれかに記載のＸ線検査用加熱装置。
【請求項８】
前記面状ヒーターが、通風孔又はスリットが多数形成された金属板でなることを特徴とする請求項１に記載のＸ線検査用加熱装置。
【請求項９】
前記金属板の上下に、スペーサを介して絶縁板が配置され、少なくとも試料側の絶縁板に通風孔又はスリットが多数形成されていることを特徴とする請求項８に記載のＸ線検査用加熱装置。
【請求項１０】
前記面状ヒーター及びガス供給手段が、前記試料の両側に配設されていることを特徴とする請求項１乃至９のいずれかに記載のＸ線検査用加熱装置。
【請求項１１】
前記絶縁板がボロンナイトライド製とされていることを特徴とする請求項２乃至７、９のいずれかに記載のＸ線検査用加熱装置。
【請求項１２】
前記Ｘ線透過窓が雲母製とされ、カーボンファイバー製の補強板で補強されていることを特徴とする請求項１乃至１１のいずれかに記載のＸ線検査用加熱装置。
【請求項１３】
前記Ｘ線透過窓がカーボンファイバー製とされていることを特徴とする請求項１乃至１１のいずれかに記載のＸ線検査用加熱装置。
【請求項１４】
Ｘ線を透過可能な薄い金属板と、
該金属板を両側から挟んで補強するための、Ｘ線を透過する材料で形成された絶縁板とを備えると共に、
前記金属板又は絶縁板の少なくとも一方に通風孔又はスリットが多数形成されていることを特徴とする面状ヒーター。
【請求項１５】
前記金属板が、前記絶縁板の少なくとも一方に埋め込まれていることを特徴とする請求項１４に記載の面状ヒーター。
【請求項１６】
前記絶縁板の一方の通風孔又はスリットが、該絶縁板の表面に対して斜め又は垂直に形成され、
前記絶縁板の他方の通風孔又はスリットが、該絶縁板の表面に対して垂直又は斜めに形成されていることを特徴とする請求項１４又は１５に記載の面状ヒーター。
【請求項１７】
前記金属板が、通風孔が表面に対して垂直に形成された側の絶縁板に埋め込まれていることを特徴とする請求項１６に記載の面状ヒーター。
【請求項１８】
Ｘ線を透過する材料で形成された絶縁板と、その上に密着形成された金属膜でなり、前記絶縁板及び金属膜の少なくとも一方に通風孔又はスリットが多数形成されていることを特徴とする面状ヒーター。
【請求項１９】
前記金属膜が、前記絶縁板上に、気相成長法、めっき法あるいは蒸着法により密着一体形成されていることを特徴とする請求項１８に記載の面状ヒーター。
【請求項２０】
前記金属膜が、ＦｅＣｒ、ＮｉＣｒ、ＮｉＣｒＦｅ、ＦｅＣｒＡｌ、ＣｕＭｎ、ＣｕＮｉ系合金のいずれかからなることを特徴とする請求項１８又は１９に記載の面状ヒーター。
【請求項２１】
前記絶縁板が、セラミックスあるいはガラスでなることを特徴とする請求項１８乃至２０のいずれかに記載の面状ヒーター。
【請求項２２】
前記セラミックスが、アルミナセラミックスＡｌ２Ｏ３、炭化ケイ素ＳｉＣ、窒化アルミニウムＡｌＮ、ボロンナイトライドＢＮ、酸化ジルコニアＺｒＯ２のいずれかであることを特徴とする請求項２１に記載の面状ヒーター。
【発明の詳細な説明】
【技術分野】
【０００１】
本発明はＸ線検査用加熱装置及び面状ヒーターに関し、特に、各種材料の温度変化による挙動及び加熱時のはんだ接合部位の不良発生原因解析等に用いるのに有用な、試料等の被検査物を目的の温度に加熱もしくは予め設定されたプロファイルに従って加熱し、そのＸ線透過画像の状態変化をリアルタイムに観察および温度変化、動画を記録することが可能なＸ線検査用加熱装置、及び、これに用いるのに好適な面状ヒーターに関する。
【背景技術】
【０００２】
近年、実装基板の高密度化、多層化、使用材料の多様化が進んでいる。そのため、従来の光学的検査に加え、部品の内部や接合部におけるはんだ溶融時の挙動等を観察することのできる、Ｘ線検査の必要性が高まっている。
【０００３】
特に、試料を高温に加熱し、結晶構造の変化やはんだ溶解状態の変化等を観察することのできる高温Ｘ線検査は、部品の接合部に存在するはんだの溶融状態や冷却時における挙動をリアルタイムで観察できるため、はんだ接合部位の不良発生原因解析に有用である。
【０００４】
試料を加熱条件下でＸ線検査する場合、従来は、Ｘ線検査視野範囲外で加熱したガスを検査装置内部の試料に吹き付けて観察することがあった。加熱装置を有するＸ線検査装置も提案されてはいるが、加熱装置に必要とされる発熱体には、セラミックスヒーターやカーボンファイバー等があり、場合によっては破断し易かった。そのため、Ｘ線視野範囲内で加熱し、鮮明なＸ線検査を行うことのできる、頑丈且つ安価で、薄く、コンパクトなヒーターが求められていた。
【０００５】
また、正確な検査を行うためには、試料を実際の製造時と同等程度に急速かつ均一に該設定プロファイルに基づき加熱する必要がある。そのため、急速に均一加熱のできる加熱装置が求められていた。更に、部品の小型化に伴い、極小の部品を高倍率で鮮明に観察する必要が高まっているおり、焦点距離を小さくするためにも、加熱装置の薄型化が求められていた。
【０００６】
そこで、加熱装置の構成材料として板状に形成したセラミックスヒーターを用いた加熱装置が特許文献１で提案されている。
【０００７】
しかしながら従来の検査装置外部で加熱したガスを検査装置内部に送風し観察する方法の場合、基板上の試料の温度が不均一となるなど、充分な温度管理を行うことができないという問題があった。また、はんだ溶融時のボイド発生状況やぬれ状態の変化など、温度変化に伴う試料の状態変化を、要求プロファイルに沿って、正確かつリアルタイムに観察することができないという問題もあった。更に、モーターやシャフト、ファン等の金属部が視野内にあると、Ｘ線での上下貫通した検査は不可能であるという問題もあった。
【０００８】
一方、特許文献１によって知られる加熱装置では、発熱体の構成材料として板状に形成したセラミックスヒーターを用いることで、加熱装置の構成材料がＸ線を遮断することを回避した。しかし、セラミックスヒーターは昇温が遅い、温度制御が困難である、割れやすく耐久性に難があるという問題が発生した。また、加熱装置内に空気の流れを発生させる機構が無いため、装置内温度にムラが発生するという問題が発生した。
【０００９】
現在、世界的にプリント基板のリフローはんだ加熱方法は大半が主として対流加熱である。多くの場合、ガラスエポキシ基板上下に部品を搭載するため（裏面は平面で無く）、熱伝導加熱は使用できないためである。
【００１０】
しかしながら、熱伝導加熱と実際に市場で行われている主として対流加熱とでは、はんだ付挙動が大きく異なる。基板、ソルダーペースト、部品など各部位の温度上昇速度が異なり、かつソルダーペーストの乾燥・酸化量も異なるためである。
【００１１】
このため、実際には生じない現象が生ずる可能性のある熱伝導加熱で実装基板を加熱し検査しても、対流加熱で生ずる各種はんだ付欠陥などのメカニズムを検査する上では、意味は無い。これらのことは、はんだ付技術者であれば常識として分かっていることである。
【００１２】
基板をＸ線で動画検査する場合、実際に生じているはんだ付挙動を検査するには主として対流加熱でなければならない。しかし従来提案されているＸ線検査用リフロー加熱炉は大半が熱伝導加熱であった。
【００１３】
このような問題を解決するべく、発明者は特許文献２や３の技術を提案しているが、実機を製作組立した経験に基づくものではなかった。
【先行技術文献】
【特許文献】
【００１４】
【特許文献１】特開平９−１３８０７３号公報
【特許文献２】特開２０１１−２３２０２９号公報
【特許文献３】国際公開２０１０／１１６８０９号公報
【発明の概要】
【００１５】
本発明は上述のような従来技術の問題点及び実機を製作組立した経験に基づいてなされたものであり、装置を大型化したり複雑化することなく、基板を均一に対流加熱できるＸ線検査用加熱装置の具体的な構成を提供することを第１の課題とするものである。
【００１６】
本発明は、又、前記のようなＸ線検査用加熱装置に用いるのに好適な面状ヒーターを提供することを第２の課題とするものである。
【００１７】
上記した第１の課題を解決するために、請求項１に記載の発明は、試料加熱室に収容された試料の少なくとも一方の面を対流により加熱して、Ｘ線により検査するためのＸ線検査用加熱装置であって、通風孔又はスリットが多数形成された、Ｘ線を透過可能な面状ヒーターと、該面状ヒーターの前記試料と反対側の空間にガスを送り込むためのガス供給手段と、前記試料加熱室を外気と遮断するＸ線透過窓と、を備えたことを特徴とするＸ線検査用加熱装置である。
【００１８】
請求項２に記載の発明は、前記面状ヒーターが、薄い金属板と、該金属板を両側から挟んで補強するための、Ｘ線を透過する材料で形成された絶縁板とで形成され、前記金属板及び絶縁板の少なくとも一方に通風孔又はスリットが多数形成されていることを特徴とする請求項１に記載のＸ線検査用加熱装置である。
【００１９】
請求項３に記載の発明は、前記金属板が、前記絶縁板の少なくとも一方に埋め込まれていることを特徴とする請求項２に記載のＸ線検査用加熱装置である。
【００２０】
請求項４に記載の発明は、前記試料側の絶縁板の通風孔又はスリットが、該絶縁板の表面に対して斜め又は垂直に形成され、前記試料と反対側の絶縁板の通風孔又はスリットが、該絶縁板の表面に対して垂直又は斜めに形成されていることを特徴とする請求項２又は３に記載のＸ線検査用加熱装置である。
【００２１】
請求項５に記載の発明は、前記金属板が、前記試料と反対側の絶縁板に埋め込まれていることを特徴とする請求項４に記載のＸ線検査用加熱装置である。
【００２２】
請求項６に記載の発明は、前記面状ヒーターが、Ｘ線を透過する材料で形成された絶縁板と、その上に密着形成された金属膜でなり、前記絶縁板及び金属膜の少なくとも一方に通風孔又はスリットが多数形成されていることを特徴とする請求項１に記載のＸ線検査用加熱装置である。
【００２３】
請求項７に記載の発明は、前記ガス供給手段が、前記試料加熱室の周囲に配設された送風ダクトと、該送風ダクトから前記試料加熱室の中央に向けてガスを送り込む送風管で構成されていることを特徴とする請求項１乃至６のいずれかに記載のＸ線検査用加熱装置である。
【００２４】
請求項８に記載の発明は、前記面状ヒーターが、通風孔又はスリットが多数形成された金属板でなることを特徴とする請求項１に記載のＸ線検査用加熱装置である。
【００２５】
請求項９に記載の発明は、前記金属板の上下に、スペーサを介して絶縁板が配置され、少なくとも試料側の絶縁板に通風孔又はスリットが多数形成されていることを特徴とする請求項８に記載のＸ線検査用加熱装置である。
【００２６】
請求項１０に記載の発明は、前記面状ヒーター及びガス供給手段が、前記試料の両側に配設されていることを特徴とする請求項１乃至９のいずれかに記載のＸ線検査用加熱装置である。
【００２７】
請求項１１に記載の発明は、前記絶縁板がボロンナイトライド製とされていることを特徴とする請求項２乃至７、９のいずれかに記載のＸ線検査用加熱装置である。
【００２８】
請求項１２に記載の発明は、前記Ｘ線透過窓が雲母製とされ、カーボンファイバー製の補強板で補強されていることを特徴とする請求項１乃至１１のいずれかに記載のＸ線検査用加熱装置である。
【００２９】
請求項１３に記載の発明は、前記Ｘ線透過窓がカーボンファイバー製とされていることを特徴とする請求項１乃至１１のいずれかに記載のＸ線検査用加熱装置である。
【００３０】
上記した第２の課題を解決するために、請求項１４に記載の発明は、Ｘ線を透過可能な薄い金属板と、該金属板を両側から挟んで補強するための、Ｘ線を透過する材料で形成された絶縁板とを備えると共に、前記金属板又は絶縁板の少なくとも一方に通風孔又はスリットが多数形成されていることを特徴とする面状ヒーターである。
【００３１】
請求項１５に記載の発明は、前記金属板が、前記絶縁板の少なくとも一方に埋め込まれていることを特徴とする請求項１４に記載の面状ヒーターである。
【００３２】
請求項１６に記載の発明は、前記絶縁板の一方の通風孔又はスリットが、該絶縁板の表面に対して斜め又は垂直に形成され、前記絶縁板の他方の通風孔又はスリットが、該絶縁板の表面に対して垂直又は斜めに形成されていることを特徴とする請求項１４又は１５に記載の面状ヒーターである。
【００３３】
請求項１７に記載の発明は、前記金属板が、通風孔が表面に対して垂直に形成された側の絶縁板に埋め込まれていることを特徴とする請求項１６に記載の面状ヒーターである。
【００３４】
請求項１８に記載の発明は、Ｘ線を透過する材料で形成された絶縁板と、その上に密着形成された金属膜でなり、前記絶縁板及び金属膜の少なくとも一方に通風孔又はスリットが多数形成されていることを特徴とする面状ヒーターである。
【００３５】
請求項１９に記載の発明は、前記金属膜が、前記絶縁板上に、気相成長法、めっき法あるいは蒸着法により密着一体形成されていることを特徴とする請求項１８に記載の面状ヒーターである。
【００３６】
請求項２０に記載の発明は、前記金属膜が、ＦｅＣｒ、ＮｉＣｒ、ＮｉＣｒＦｅ、ＦｅＣｒＡｌ、ＣｕＭｎ、ＣｕＮｉ系合金のいずれかからなることを特徴とする請求項１８又は１９に記載の面状ヒーターである。
【００３７】
請求項２１に記載の発明は、前記絶縁板が、セラミックスあるいはガラスでなることを特徴とする請求項１８乃至２０のいずれかに記載の面状ヒーターである。
【００３８】
請求項２２に記載の発明は、前記セラミックスが、アルミナセラミックスＡｌ２Ｏ３、炭化ケイ素ＳｉＣ、窒化アルミニウムＡｌＮ、ボロンナイトライドＢＮ、酸化ジルコニアＺｒＯ２のいずれかであることを特徴とする請求項２１に記載の面状ヒーターである。
【００３９】
請求項１に係る発明のＸ線検査用加熱装置によれば、面状ヒーターに形成した多数の通風孔又はスリットに通したガスによって加熱することで、対流を促進しつつ、細かな温度制御が可能となる。また、試料加熱室内の雰囲気を制御することが可能となり、燃焼や酸化の防止又は制御や、特定気体雰囲気下での観察を行うこともできる。更に、面状ヒーターの形状をジグザグ型とすることにより、発熱体に流れる電流値や電圧を自由かつ容易に制御することができる。これにより、加熱装置の性能や仕様、規格などを自由かつ容易に設定することができる。
【００４０】
請求項２に係る発明のＸ線検査用加熱装置によれば、薄い金属板を絶縁板で両側から挟むことにより強度を維持することができる。
【００４１】
請求項３又は６に係る発明のＸ線検査用加熱装置によれば、面状ヒーターを、極めて薄い金属板で構成することができる。
【００４２】
請求項４に係る発明のＸ線検査用加熱装置によれば、旋回流を試料に吹き付けて、ファン等を用いることなく、対流を促進して均一加熱を実現することができる。
【００４３】
請求項５に係る発明のＸ線検査用加熱装置によれば、絶縁板の加工が容易である。
【００４４】
請求項７に係る発明のＸ線検査用加熱装置によれば、試料加熱室内にガスを確実に送り込むことができ、急速な均一加熱が可能となる。
【００４５】
請求項８に係る発明のＸ線検査用加熱装置によれば、面状ヒーターの構成が単純である。
【００４６】
請求項９に係る発明のＸ線検査用加熱装置によれば、対流により試料を均一に加熱できる。
【００４７】
請求項１０に係る発明のＸ線検査用加熱装置によれば、試料両面からの対流加熱が可能になる。
【００４８】
請求項１１又は１２に係る発明のＸ線検査用加熱装置によれば、Ｘ線透過性を損なうことなく、加工が容易で、絶縁板やＸ線透過窓の強度を確保することができる。
【００４９】
請求項１３に係る発明のＸ線検査用加熱装置によれば、補強板を省略して、装置を薄くできる。
【００５０】
請求項１４乃至２２に係る発明の面状ヒーターによれば、前記のようなＸ線検査用加熱装置に用いるのに好適な面状ヒーターを提供することができる。
【００５１】
上記より、以下に本願発明に係るＸ線検査用加熱装置の作用効果を列挙する。
【００５２】
第一の効果は、加熱条件下でのＸ線検査装置による、試料の鮮明な観察が可能なことである。
【００５３】
第二の効果は、試料の急速な加熱が可能なことである。
【００５４】
第三の効果は、試料の均一な加熱が可能なことである。
【００５５】
第四の効果は、試料の高温加熱が可能なことである。
【００５６】
第五の効果は、試料の加熱方式を選択可能なことである。
【００５７】
第六の効果は、試料の冷却制御が可能なことである。
【００５８】
第七の効果は、試料のリアルタイム観察が可能なことである。
【００５９】
第八の効果は、本加熱装置をＸ線視野内で自由に傾けることができ、試料の観察角度を自由に設定できることである。
【００６０】
第九の効果は、装置の薄型化が可能なことである。
【００６１】
第十の効果は、装置の単純化が可能なことである。
【００６２】
第十一の効果は、装置が頑丈で高耐久なことである。
【００６３】
第十二の効果は、装置の操作を安全に行えることである。
【００６４】
第十三の効果は、装置のメンテナンス性が高いことである。
【００６５】
第十四の効果は、装置が安価でコストパフォーマンスが良好なことである。
【００６６】
又、一般常識として、原子量の大きい金属板をヒーターとすることはＸ線透過上不可能と思われていた。金属のＸ線透過性を簡単に表すと、（原子番号）×（厚さ）が大きいほど透過性は低い。現実問題として、厚さ３０μｍのステンレスＳＵＳ４３０をジグザグ型に加工し、ヒーターとして実験してみたところ、Ｘ線透過性に問題はなく良好で、かつ十分な発熱量が得られ、長寿命であることが分かった。厚さを薄くすることでＸ線透過性を高め、かつ抵抗を増大でき、ヒーターとして使用できる。また、本ヒーターはきわめて安価であり、エッチングなどで加工でき、かつ耐熱温度が高く長寿命である。
【図面の簡単な説明】
【００６７】
【図１】本発明に係るＸ線検査用加熱装置の実施形態の全体構成を示す断面図
【図２】図１のII部拡大図
【図３】図１のIII部拡大図
【図４】前記実施形態で用いられている面状ヒーターの形状を示す平面図
【図５】同じく試料側の絶縁板の形状を示す平面図
【図６】同じく拡大断面図
【図７】同じく試料と反対側の絶縁板の形状を示す（Ａ）平面図及び（Ｂ）断面図
【図８】同じく面状ヒーターの変形例を示す平面図
【図９】同じく面状ヒーターの他の変形例を示す平面図
【図１０】図９の面状ヒーターを採用したＸ線検査用加熱装置の変形例の要部構成を示す断面図
【図１１】前記実施形態で用いられているフレームの形状を示す平面図
【図１２】同じく送風ダクト及び送風管の形状を示す平面図
【発明を実施するための形態】
【００６８】
以下、図面を参照しながら、本発明の実施の形態を詳しく説明する。
【００６９】
図１は、本発明に係るＸ線検査用加熱装置の実施形態の全体構成を示す断面図である。この図において、８は、例えば電子部品（チップ部品）２、２´がランド４、４´にソルダーペースト６、６´ではんだ付けされ、上下に実装された実装基板である試料、１０は試料加熱室、１０Ａは、Ｘ線装置外への排気口、１２は面状ヒーター、１４、１６は耐熱性及び熱伝導性の高い絶縁板、１７は被覆導線、１８は、例えばステンレス製のフレーム、１９は通電用ボルト、２０は送風ダクト、２１はガス供給管、２２は送風管、２４はＸ線透過窓、２６は、Ｘ線を透過する補強板、２８は支持体、４０は、Ｘ線照射装置のＸ線発生部、４２はＸ線受光装置である。
【００７０】
図１においては、面状ヒーター１２を構成する金属板１３と絶縁板１４、１６が離されて描かれているが、図２、図３に図１のII部、III部をそれぞれ拡大して示す如く、これらは全て密着されていても良い。
【００７１】
前記金属板１３は、例えば厚さ３０μｍの薄いステンレス（例えばＳＵＳ４３０）板で構成され、例えばエッチングにより、図４（Ａ）に示す如く、ジグザグ状とされるか、図４（Ｂ）に示す如く、多数の通風孔１３Ｂが設けられている。なお、通風孔１３Ｂは、スリットでも良い。図４において、１３Ａは、通電用ボルト１９を通すためのボルト穴である。
【００７２】
金属板は電気抵抗が非常に低いため、低電圧でも大きな電流が流れる場合がある。しかし、薄い板状のジグザグ型を採用したり、多数の通風孔１３Ｂ又はスリットを形成することにより、電気抵抗や電流値を容易に制御することができる。汎用の電源やケーブルを使用しつつも高い発熱量を示すことができる。
【００７３】
なお、金属板１３は厚さが薄く、板状形状を保てないので、図２、図３に示した如く、両面から例えば厚さ１ｍｍの絶縁板（例えばボロンナイトライドＢＮやセラミックス、雲母等製）１４、１６で挟んだサンドイッチ構造とすることができる。
【００７４】
ここで、試料８側の絶縁板１４の、金属板１３と重ならない位置（図４（Ａ）の場合）、又は、金属板１３の通風孔１３Ｂと重なる位置（図４（Ｂ）の場合）には、図５に示す如く、図１〜３に示したような、絶縁板１４の表面に対して斜めの通風孔１４Ａが多数形成され、旋回流を発生して、対流を促進するようにされている。なお、前記斜めの通風孔１４Ａの方向は、図６（ａ）に例示する如く、中央の試料８に向かう方向が好ましいが、これに限定されず、図６（ｂ）に例示するような、周辺に向かう方向や、図６（ｃ）に例示するような一方向等、様々な方向に形成することができる。
【００７５】
一方、試料８と反対のガス供給空間側の絶縁板１６には、図７（Ａ）（平面図）及び（Ｂ）（断面図）に示す如く、その表面に対して垂直な通風孔１６Ａが多数形成されている。この絶縁板１６には、更に、金属板１３を埋め込むための凹部１６Ｂも形成されている。本実施形態においては、凹部１６Ｂを、垂直な通風孔１６Ａが形成される絶縁板１６側に設けているので、加工が容易である。なお、金属板１３を埋め込むための凹部は、絶縁板１４側に設けたり、絶縁板１４、１６の両方に設けることもできる。
【００７６】
なお、面状ヒーター１２の構成は、図２、図３に示したようなサンドイッチ構造に限定されず、図８に示す如く、例えばセラミックス製の絶縁板１５の表面に蒸着法、気相成長法、めっき法等で金属膜１５Ｂを形成し、通風孔１５Ａを形成した一体型ヒーターであっても良い。更に、通風孔は通風スリットであっても良い。
【００７７】
あるいは、例えば図９に示すような通風スリット１３Ｃを形成した金属板１３単体とし、図１０にＸ線検査用加熱装置の変形例の要部を示す如く、スペーサ５０を介して上下の絶縁板１４、１６から離して配置しても良い。この場合、金属板１３上下の間隔で対流を促進できる。更に、図１０中に矢印で示す如く、ガスを金属板１３と絶縁板１６の間に供給するようにして装置を薄くすることもできる。
【００７８】
金属板の材料も、ＳＵＳ４３０のようなＦｅ−Ｃｒ合金やその他のステンレスに限定されず、薄膜化が可能で、薄膜化によりＸ線透過が保証され、耐熱性があり、酸化劣化せず、ヒーターとして使用可能な抵抗になるものであれば、Ｎｉ−Ｃｒ系合金、Ｎｉ−Ｃｒ−Ｆｅ系合金、Ｆｅ−Ｃｒ−Ａｌ系合金、Ｃｕ−Ｍｎ系合金、Ｃｕ−Ｎｉ系合金等、他の金属であっても良い。
【００７９】
前記被覆導線１７から面状ヒーター１２への通電は、図１１に模式的に示すようなフレーム１８から、例えば絶縁ブッシュ（図示省略）を用いて絶縁された通電用ボルト１９を介して行われる。図１１において、１８Ａは、通電用ボルト１９を通すためのボルト穴である。
【００８０】
又、図１２（Ａ）又は（Ｂ）に示す如く、前記フレーム１８の周囲は送風ダクト２０とされており、該送風ダクト２０から中心部に向けて例えばガラス製の送風管２２が例えばＸ字形（図１２（Ａ）の場合）又は、田型（図１２（Ｂ）の場合）に設けられている。ここで、送風ダクト２０の断面積は、送風管２２の断面積より十分に大とされており、例えば周囲の一箇所又は二箇所からガスを送り込んだ際にも、均一なガスが中心部に供給されるようにされている。
【００８１】
上述のような構成からなる本発明の実施形態において、加熱装置を作動するには、最初に、被覆導線１７を介して通電用ボルト１９に電圧を印加する。この印加電圧は直流電圧であると交流電圧であるとを問わないが、電流は通電用ボルト１９を経由して面状ヒーター１２内を均一に流れる。この際、金属板は抵抗が小さく通電しやすいことから容易に電流が流れ、電力に応じた発熱量が発生する。
【００８２】
発熱は均一であり、かつ金属板自体の熱伝導性が高いことから、面状ヒーター１２の温度は急速かつ均一に上昇してゆく。
【００８３】
例えばプリント配線基板である試料８は、耐熱性及び熱伝導性の高い支持体２８を介して面状ヒーター１２上に設置される。支持体２８としては、アルミナセラミックス、ポリイミド樹脂、シリコーン樹脂、フッ素樹脂、マイカなどの板やシートなどが好適であるが、特に限定するものではなく、要求温度に応じて自由に材料を選択することができる。
【００８４】
試料８は耐熱性及び熱伝導性の高い絶縁板１４を介するのみで、直接面状ヒーター１２上に設置することができる。このため、面状ヒーター１２の急速かつ均一な温度上昇に伴い、試料８も急速かつ均一に加熱することができる。
【００８５】
また、発熱量は、例えば試料８の近くに配設した熱電対（図示省略）でモニタしながら電圧をコントロールすることで、容易に制御できる。これにより、試料８を必要なプロファイルに沿って温度制御することができる。
【００８６】
面状ヒーター１２の温度が上昇するに伴い、絶縁板１４上に設置された試料８も、急速かつ面内で均一に温度上昇する。本実施形態の耐熱温度は高く、ソルダーペースト６、６´を充分に溶融させることが可能である。温度上昇に伴い、ソルダーペースト６、６´は溶融し、電子部品２、２´とランド４、４´とが濡れて接合する。
【００８７】
また、予め設定した温度プロファイル下でのリアルタイム観察を行うことができ、ボイド発生メカニズムの解明などに役立てることができる。
【００８８】
更に、検査視野外からの伝熱機構が不要であるため観察の角度が限定されず、装置の薄型化、単純化が可能となり、製作も容易である。また、金属板自体が高い強度を持つことから、高耐久の加熱装置を容易に得ることができる。
【００８９】
尚、前記実施形態では面状ヒーター１２の形状を平板状としているが、この板を丸めたり曲げたりすることによって、例えば特許文献１に記載されたような丸筒型や角筒型の加熱装置とすることも可能である。
【００９０】
本実施形態では、面状ヒーター１２に設けた通風孔１４Ａ、１６Ａに、ガス供給管２１から送風ダクト２０及び送風管２２を経由して供給したガスを通して加熱することにより、接触や放射による加熱に、対流による雰囲気加熱が加わり、細かな温度制御が可能となる。ガスの流量によって昇温速度が制御できるのみならず、昇温と冷却のサイクル運転をすることも可能となる。また、不活性ガスなどの注入により酸化や燃焼を防止又は制御できる、特定ガス雰囲気下での観察を行うことができる、試料８から発生する有毒ガスなどを排気口１０Ａから外部に排出することができ、試料８や加熱装置への悪影響を防止することができるという利点もある。更に観察終了後は、外気や冷気を送風することで試料８や加熱装置の急速冷却を可能にする。
【００９１】
本実施形態によれば、上下から対流による円滑な加熱が可能である。なお、加熱装置を上又は下の一方に配置することも可能である。
【００９２】
本実施形態は、特に、はんだ接合部位の不良発生原因解析に用いるのに有用なＸ線検査用加熱装置であり、試料等の被検査物を目的の温度に加熱もしくは予め設定されたプロファイルに従って加熱し、その状態変化をリアルタイムに観察および記録することが可能である。
【００９３】
また、図では加熱装置は水平に設置されているが、必要に応じて縦や斜めに設置することも可能である。加熱装置の設置方法と試料のセット方法の組み合わせで、あらゆる角度から試料の観察を行うことが可能となる。
【００９４】
本実施形態では、試料をＸ線観察する範囲であるＸ線透過窓２４には、雲母等のＸ線透過性の良好な材料のみが用いられているため、様々な温度条件下ではんだのぬれ挙動を明瞭に観察することができる。更に、例えばカーボンファイバーでなるＸ線を透過可能な補強板２６を設けているので、十分な強度を確保できる。
【００９５】
送風管２２の数は特に制限するものではないが、２本以上設置することにより、ガスの流れのムラをなくし、温度の均一化を図ることができる上、ガスの流量によっても昇温速度を制御することができる。更に、送風管２２から供給するガスを選択することにより、特定ガス雰囲気下での観察を行うことができるほか、不活性ガスなどの注入により酸化や燃焼を防止又は制御できる。また、送風管２２を、ガラス等のＸ線透過性の良好な材料で構成することにより、Ｘ線透過性を維持したままガス供給の制御をすることが可能となる。
【００９６】
また、冷却の際には、送風管２２から冷却ガスを流すことができる上、冷却専用のガス供給管を備えることにより、急速な冷却制御が可能となる。これにより、迅速な冷却及び冷却状態の制御が可能となり、リフトオフ現象など、様々な現象への冷却の影響についても観察することが可能となるほか、昇温と冷却のサイクル運転をすることも可能となる。
【００９７】
尚、加熱装置の試料加熱室１０上に排気口１０Ａを備えることにより、ガス雰囲気や流量が制御でき、温度制御が容易となる。また、加熱時に試料８から発生した有毒ガスなども迅速に排出することができ、安全性の高い加熱装置を提供することができる。
【００９８】
本実施形態では、絶縁板１４、１６、Ｘ線透過窓２４、補強板２６の材料が、セラミックス、耐熱樹脂、耐熱ゴム、ガラス、ガラス繊維、雲母、絶縁処理を施したカーボンファイバーのいずれか又はこれらの組み合わせであることを特徴としている。これらの材料はＸ線透過性が良好であるうえ、耐久性、耐熱性、絶縁性に優れるため、好適である。具体例としては、アルミナセラミックス、ポリイミド樹脂、シリコーン樹脂、フッ素樹脂、ガラス、ガラス繊維、雲母、絶縁処理カーボンなどの板やシートなどが好適であるが、これ以外にも特に限定するものではなく、要求温度や要求強度に応じて自由に選択できる。特にＸ線透過窓２４をカーボンファイバー製とした場合には、補強板２６を省略して、装置を薄くできる。また、カーボンファイバーの絶縁処理方法としては、絶縁素材の塗膜の付与や絶縁剤へのドープなど様々な手段が考えられるが、これも特に限定するものではない。
【００９９】
本実施形態は、試料８の両側に面状ヒーター１２を配することを特徴としている。これにより、試料８の両面から対流加熱を行ったり、片面は対流加熱で、残る片面は熱伝導加熱、片面は対流加熱で、残る片面は無加熱など、試料８の種類によって様々に選択することが可能となり、試料８の状態に合わせた加熱が可能となる。
【０１００】
本発明の加熱装置では、構成部品のうち、面状ヒーター１２、絶縁板１４、１６には、繰り返しヒートサイクルがかかることから、他の部品よりも早く劣化することが予想される。そこで、面状ヒーター１２、絶縁板１４、１６をモジュール化することにより、損耗部分のみの交換を可能とし、メンテナンス性とコストパフォーマンスの向上を可能とすることができる。
【０１０１】
本実施形態では、Ｘ線発生部４０側のＸ線透過窓２４を小とし、Ｘ線受光装置４２側のＸ線透過窓２４を大としているので、照射方向の変更に容易に対応できる。なお、同じ大きさとすることも可能である。又、Ｘ線発生部４０とＸ線受光装置４２の配置も、図１の例に限定されず、上下逆であっても良い。
【０１０２】
試料８も、両面実装基板に限定されず、片面実装基板であっても良い。
【産業上の利用可能性】
【０１０３】
特に、はんだ接合部位の不良発生原因解析に用いるのに有用なＸ線検査用加熱装置であり、試料等の被検査物を目的の温度に加熱もしくは予め設定されたプロファイルに従って加熱し、その状態変化をリアルタイムに観察および記録することが可能である。
【符号の説明】
【０１０４】
２、２´…電子部品（チップ部品）
８…試料（実装基板）
１０…試料加熱室
１０Ａ…排気口
１２…面状ヒーター
１３…金属板
１３Ｃ…通風スリット
１４、１５、１６…絶縁板
１４Ａ、１５Ａ、１６Ａ…通風孔
１５Ｂ…金属膜
１６Ｂ…金属板埋め込み用凹部
１７…被覆導線
１８…フレーム
１９…通電用ボルト
２０…送風ダクト
２１…ガス供給管
２２…送風管
２４…Ｘ線透過窓
２６…補強板
４０…Ｘ線発生部
４２…Ｘ線受光装置
【図１】
2014095640.tif 000003
【図２】
2014095640.tif 000004
【図３】
2014095640.tif 000005
【図４】
2014095640.tif 000006
【図５】
2014095640.tif 000007
【図６】
2014095640.tif 000008
【図７】
2014095640.tif 000009
【図８】
2014095640.tif 000010
【図９】
2014095640.tif 000011
【図１０】
2014095640.tif 000012
【図１１】
2014095640.tif 000013
【図１２】
2014095640.tif 000014